(57)【特許請求の範囲】
【請求項１】
第1基地局が、受信された無線リソース制御RRCの再確立要求情報における無線リンク障害RLF情報により、ユーザ端末がRRC再確立を発起する前にRLFが発生するセルの情報を確定し、前記RLF情報を前記RLFが発生するセルの所属の第2基地局に送信し、
前記第2基地局が、前記ユーザ端末が前記RLFが発生するセルに切り替えられた状況が、切り替えが早すぎるまたは切り替えが誤りの切り替えセルを選択すると確定する場合、切り替えが早すぎるまたは切り替えが誤りの切り替えセルを選択する指示情報を切り替え発起の基地局に通知する
ことを特徴とする切り替え障害の指示情報の通知方法。
【請求項２】
前記切り替えが早すぎるまたは切り替えが誤りの切り替えセルを選択す指示情報を切り替え発起の基地局に通知する場合、第2基地局は前記ユーザ端末の本回の切り替え原因を切り替え発起の基地局に通知する
ことを更に特徴とする請求項１に記載の方法。
【請求項３】
前記第2基地局がユーザ端末が前記RLFが発生するセルに切り替えられた状況が、切り替えが早すぎると確定するとは、
前記第2基地局が無線リンクの障害が発生する前に、前記ユーザ端末が前記第1基地局における現在のRRC再確立セルから前記RLFが発生するセルに切り替えられたと確定し、切り替え完了の持続時間が設定された閾値より小さい場合、前記ユーザ端末が前記RLFが発生するセルに切り替えた状況が、切り替えが早すぎると確定し、
前記第2基地局がユーザ端末が前記RLFが発生するセルに切り替えられた状況が、切り替えが誤りの切り替えセルを選択することを確定するとは、
前記第2基地局が無線リンクの障害が発生する前に、前記ユーザ端末が第３基地局におけるセルから前記RLFが発生するセルに切り替えられたと確定し、切り替え完了の持続時間が設定された閾値より小さい場合、前記ユーザ端末が前記RLFが発生するセルに切り替えられた状況が、切り替えが誤りの切り替えセルを選択すると確定する
ことを特徴とする請求項１に記載の方法。
【請求項４】
第1基地局が、受信された無線リソース制御RRC再確立要求情報の無線リンク障害RLF情報により、ユーザ端末がRRC再確立を発起する前にRLFが発生するセルの情報を確定し、前記RLF情報を前記RLFが発生するセルの所属の第2基地局に送信し、
前記第2基地局が、設定された切り替えが早すぎるまたは切り替えが誤りの切り替えセルを選択する指示情報の通知条件により、通知条件を満足する、切り替えが早すぎるまたは切り替えが誤りの切り替えセルを選択する指示情報を切り替え発起の基地局に通知する
ことを特徴とする切り替え障害の指示情報の通知方法。
【請求項５】
前記切り替えが早すぎるまたは切り替えが誤りの切り替えセルを選択する指示情報の通知条件とは、無線の質による切り替えのみを通知し、前記第2基地局が切り替え原因に無線の質による切り替え原因が含まれると判断する場合、無線の質の切り替え原因の切り替えが早すぎるまたは切り替えが誤りの切り替えセルを選択する指示情報を切り替え発起の基地局に通知する
ことを特徴とする請求項４に記載の方法。
【請求項６】
前記第2基地局がユーザ端末が前記RLFが発生するセルに切り替えられた状況が切り替え早すぎであることを確定するとは、
前記第2基地局が無線リンクの障害が発生する前に、前記ユーザ端末が前記第1基地局における現在のRRC再確立セルから前記RLFが発生するセルに切り替えられたと確定し、切り替え完了の持続時間が設定された閾値より小さい場合、前記ユーザ端末が前記RLFが発生するセルに切り替えた状況が切り替え早すぎであると確定し、
前記第2基地局がユーザ端末が前記RLFが発生するセルに切り替えられた状況が、切り替えが誤りの切り替えセルを選択することを確定するとは、
前記第2基地局が無線リンクの障害が発生する前に、前記ユーザ端末が第３基地局におけるセルから前記RLFが発生するセルに切り替えられ、切り替え完了の持続時間が設定された閾値より小さい場合、前記ユーザ端末が前記RLFが発生するセルに切り替えられた状況が切り替えが誤りの切り替えセルを選択すると確定する
ことを特徴とする請求項４に記載の方法。
【請求項７】
RRC再確立要求情報を受信する受信部と、
前記RRC再確立要求情報にRLF情報が含まれることを確定する第1確定部と、
前記RLF情報によりユーザ端末がRRC再確立を発起する前にRLFが発生するセルの情報を確定する第２確定部と、
前記RLF情報を前記RLFが発生するセルの所属の基地局に送信する送信部と、 
前記ユーザ端末が前記RLFが発生するセルに切り替えられた状況が、切り替えが早すぎるまたは切り替えが誤りの切り替えセルを選択することを確定する第３確定部と、
切り替えが早すぎるまたは切り替えが誤りの切り替えセルを選択す指示情報を切り替え発起の基地局に通知する通知部と
を備え、
前記受信部、前記第1確定部、前記第２確定部及び前記送信部は第1基地局に属し、前記第３確定部と前記通知部は第2基地局に属す
ことを特徴とする切り替え障害の指示情報の通知装置。
【請求項８】
第2基地局に属す検索部は、前記ユーザ端末の本回の切り替え原因を検索し、前記通知部が前記検索部より検索された前記ユーザ端末の本回の切り替え原因を切り替え発起の基地局に通知する
ことをさらに含むことを特徴とする請求項７に記載の装置。
【請求項９】
切り替えが早すぎるまたは切り替えが誤りの切り替えセルを選択する指示情報の通知条件を設定する設定部と、
RRC再確立要求情報を受信する受信部と、
前記RRC再確立要求情報にRLF情報が含まれることを確定する第1確定部と、
前記RLF情報によりユーザ端末がRRC再確立を発起する前にRLFが発生するセルの情報を確定する第２確定部と、
前記RLF情報を前記RLFが発生するセルの所属の基地局に送信する送信部と、
前記ユーザ端末が前記RLFが発生するセルに切り替えられた状況は切り替えが早すぎるまたは切り替えが誤りの切り替えセルを選択することを確定する第３確定部と、
前記第３確定部より確定された切り替えが早すぎるまたは切り替えが誤りの切り替えセルを選択することが指示情報通知条件を満足するかを判断し、満足の場合通知部にトグルする判断部と、
通知条件を満足する切り替えが早すぎるまたは切り替えが誤りの切り替えセルを選択する指示情報を切り替え発起の基地局に通知する通知部と、
を備え、
前記設定部、前記受信部、前記第1確定部、前記第２確定部、前記送信部は第1基地局に属し、前記第３確定部、前記判断部及び前記通知部は第2基地局に属する
ことを特徴とする切り替え障害の指示情報の通知装置。
【請求項１０】
前記切り替えが早すぎるまたは切り替えが誤りの切り替えセルを選択す指示情報の通知条件とは、無線の質による切り替えのみを通知し、前記判断部が切り替え原因に無線の質による切り替え原因が含まれると判断する場合、前記通知部が無線の質のための切り替え原因による、切り替えが早すぎるまたは切り替えが誤りの切り替えセルを選択する指示情報を切り替え発起の基地局に通知することをトグルする
ことを特徴とする請求項９に記載の装置。
【発明の詳細な説明】
【技術分野】
【０００１】
本発明は、ユーザ端末の切り替え技術に関し、特に、LTE（Long Term Evolution）システムにおける切り替え障害の指示情報の通知方法及び装置に関する。
【背景技術】
【０００２】
LTEネットワークは、発展型ユニバーサル地上無線アクセスネットワーク（E-UTRAN、Evolved Universal Terrestrial Radio Access Network）、発展型基地局（eNB、Evolved NodeB）及び発展型パケットコア（EPC、 Evolved Packet Core）から構成される。そのうち、E-UTRANは、EPCとS1インタフェースで接続されるeNBの集合を含めるが、eNBの間をX2で接続することが可能である。そのうち、S1、X2は、論理インタフェースである。１つのEPCは、１つまたは複数のeNBを管理することができ、１つのeNBが複数のEPCに制御されてもよい、１つのeNBが１つまたは複数のセルを管理することができる。
【０００３】
自己組織化ネットワーク（SON、Self Organizing Network）は、自動的にネットワーク配置と最適化が行われる技術である。当該技術の特徴は、自己配置し自己最適化することであって、LTEネットワークに応用されてLTEネットワークにおける基地局が一定の測量によりネットワーク・パラメータを自動的に配置し、ネットワークの変化により自動的に最適化して、ネットワークの性能の最適化を保持すると共に、大量の労力と物資を節約するようになる。
【０００４】
LTEシステムの切り替え・パラメータの自己最適化にとっては、ネットワークの運行状況及び切り替えに関連する測量により、一定の算法に従ってセル再選と切り替えに関連するパラメータを最適化して、ネットワークの性能を向上させることが必要である。ここで切り替えとは、LTEシステム内部の切り替えとシステムの間の切り替えであり、システムの間の切り替えとは、UTRANまたはグローバル移動体通信システム（GSM、Global System For Mobile Communication）または符号分割多元接続（CDMA、Code Division Multiple Access）システムの間までの切り替えである。ネットワークにおけるユーザ端末（UE、User Equipment）の切り替えの過程とは、ネットワーク側がユーザ端末が報告した本セルと隣接のセルの信号の質により、一定の切り替え算法に基づいて切り替えの決定をして、その後、切り替えの決定よりユーザ端末に具体的な切り替え流れを実行することを通知する。不適当な切り替え・パラメータの設定はピンポン切り替えを引き起こして、切り替え障害と無線リンク障害（RLF、Radio Link Failure）になる。これらは全て望ましい切り替えではなく、ユーザの体験に対して悪い影響を与え且つネットワーク資源を浪費する。よって、切り替え・パラメータの自己最適化にとっては、切り替え障害または望ましくない切り替えの状況に対する正確な判断が切り替え・パラメータの調整の基本である。
【０００５】
ユーザ端末は、無線リンク障害が発生した後、無線リソース制御（RRC、Radio Resource Control）を再確立する。ソース基地局またはターゲット基地局では、ユーザの情報を保有して、RRCの再確立に用いられる。UEはRRCの再確立要求情報において、ユーザ端末識別子を持ち、UEのセル無線ネットワーク一時識別子（C-RNTI、Cell Radio Network Temporary Identifier）、短いMAC完全性保護（shortMAC-I、short Medium Access Control integrity protection）及び物理セルＩＤ（PCI、Physical Cell Identity）が含まれる。そのうち、C-RNTIは、ソースセルで割り当てられ（切り替え障害の状況）、またはRRC再確立をトグルするセルで割り当てられる（他の状況）。PCIとはソースセルの物理ＩＤ（切り替え障害の状況）、またはRRC再確立をトグルするセルの物理ＩＤ（他の状況）である。
【０００６】
UEがRRC再確立を行う際に、行ったのはセルの選択であり、セルの選択の過程は主に無線信号の質に基づくから、RLFが発生するセルとRRC再確立したセルにより切り替えの状況の判定を行うことができる。ここで、望ましくない切り替えの状況とは切り替えが早すぎ、切り替えが誤りのセル誤りのを選択する状況であり、具体的な望ましくない切り替えの状況の統計情報により、切り替え・パラメータの最適化を行うことができる。
【０００７】
図1はセルの切り替えが早すぎる状況を示す図である。図1に示すように、UEはeNB Aの下のセルCell aからeNB Bの下のセルCell bに切り替えた後で間もなく、Cell bに無線リンク障害が発生し、その後、セルCell aを選択してRRC再確立を行って、即ち、切り替えられる前のセルに戻ってRRC再確立を行う。これはUEがセルCell aからセルCell bまでに切り替えることが早すぎると示している。
【０００８】
図2はセルの切り替えが誤りの切り替えセルを選択する誤りの状況を示す図である。図2に示すように、UEはeNB Cの下のCell cからeNB Bの下のCell bに切り替えた後で間もなくRLFが発生し、その後、eNB Aの下のセルCell aにRRC再確立を行う。これは選択するeNB Bの下のCell bが誤ったターゲットセルであり、正しいターゲットセルがセルCell aであり、即ち、UEが直接にセルCell cからセルCell aに切り替えられるべきであると示している。
【発明の概要】
【発明が解決しようとする課題】
【０００９】
セルの切り替えの状況の判定は切り替え・パラメータを配置する基本であり、セルの切り替え時にセルの切り替え障害の状況及びその障害の原因をネットワーク側に通知することができると、ネットワーク側がセルの切り替え障害の状況及び障害の原因により切り替え・パラメータの配置を行うことできて、切り替えの成功率を向上し、切り替えセルの選択の誤りによるネットワーク資源の浪費、通信サービスの質の低下を防止することができる。
【００１０】
本発明は、これに鑑みてなされたものであり、目的とするところは、ユーザ端末の切り替えの状況を判定し切り替え発起の基地局に通知されることができて、それに切り替えの原因により切り替え・パラメータを調整させて、ネットワーク側により良い切り替え・パラメータを配置させるように、切り替え障害の指示情報の通知方法及び装置を提供することにある。
【課題を解決するための手段】
【００１１】
上記目的を達成するために、本発明の第1の観点に係る切り替え障害の指示情報の通知方法は、
第1基地局が、受信された無線リソースによりRRC再確立要求情報のうちの無線リンク障害RLF情報を制御して、ユーザ端末がRRC再確立を発起する前にRLFが発生するセルの情報を確定し、前記RLF情報を前記RLFが発生するセルの所属の第2基地局に送信し、
前記第2基地局が、前記ユーザ端末が前記RLFが発生するセルに切り替えられた状況が、切り替えが早すぎるまたは切り替えが誤りの切り替えセルを選択すると確定する場合、切り替えが早すぎるまたは切り替えが誤りの切り替えセルを選択する指示情報を切り替え発起の基地局に通知する。
【００１２】
好ましくは、前記切り替えが早すぎるまたは切り替えが誤りの切り替えセルを選択する指示情報を切り替え発起の基地局に通知する場合、第2基地局は前記ユーザ端末の本回の切り替え原因を切り替え発起の基地局に通知する。
【００１３】
好ましくは、前記第2基地局はユーザ端末が前記RLFが発生するセルに切り替えられた状況が、切り替えが早すぎると確定するとは、前記第2基地局が、無線リンクの障害が発生する前に、前記ユーザ端末が前記第1基地局における現在のRRC再確立セルから前記RLFが発生するセルに切り替えられたと確定し、切り替え完了の持続時間が設定された閾値より小さい場合、前記ユーザ端末は前記RLFが発生するセルに切り替えられた状況が切り替え早すぎであると確定し、
前記第2基地局が、ユーザ端末が前記RLFが発生するセルに切り替えられた状況が、切り替えが誤りの切り替えセルを選択することを確定することは、
前記第2基地局が、無線リンクの障害が発生する前に、前記ユーザ端末が第３基地局におけるセルから前記RLFが発生するセルに切り替えられたと確定し、切り替え完了の持続時間が設定された閾値より小さい場合、前記ユーザ端末は前記RLFが発生するセルに切り替えられた状況が切り替えが誤りの切り替えセルを選択すると確定する。
【００１４】
本発明の第2の観点に係る切り替え障害の指示情報の通知方法は、第1基地局が、受信された無線リソース制御RRCの再確立要求情報における無線リンク障害RLF情報により、ユーザ端末がRRC再確立を発起する前にRLFが発生するセルの情報を確定し、前記RLF情報を前記RLFが発生するセルの所属の第2基地局に送信し、
前記第2基地局が、設定された切り替えが早すぎるまたは切り替えが誤りの切り替えセルを選択する指示情報の通知条件により、通知条件を満足する、切り替えが早すぎるまたは切り替えが誤りの切り替えセルを選択する指示情報を切り替え発起の基地局に通知する。
【００１５】
好ましくは、前記切り替えが早すぎるまたは切り替えが誤りの切り替えセルを選択する指示情報の通知条件とは、無線の質による切り替えのみを通知し、前記第2基地局が切り替え原因に無線の質による切り替え原因が含まれると判断する場合、無線の質の切り替え原因の切り替えが早すぎるまたは切り替えが誤りの切り替えセルを選択する指示情報を切り替え発起の基地局に通知する。
【００１６】
好ましくは、前記第2基地局が、ユーザ端末が前記RLFが発生するセルに切り替えられた状況が、切り替えが早すぎると確定することは、
前記第2基地局が、無線リンクの障害が発生する前に、前記ユーザ端末が前記第1基地局における現在のRRC再確立セルから前記RLFが発生するセルに切り替えられたと確定し、切り替え完了の持続時間が設定された閾値より小さい場合、前記ユーザ端末が前記RLFが発生するセルに切り替えられた状況が切り替え早すぎであると確定し、
前記第2基地局が、ユーザ端末が前記RLFが発生するセルに切り替えられた状況が、切り替えが誤りの切り替えセルを選択すると確定するとは、
前記第2基地局が、無線リンクの障害が発生する前に、前記ユーザ端末が第３基地局におけるセルから前記RLFが発生するセルに切り替えられたと確定し、切り替え完了の持続時間が設定された閾値より小さい場合、前記ユーザ端末が前記RLFが発生するセルに切り替えられた状況が切り替えが誤りの切り替えセルを選択すると確定する。
【００１７】
本発明の第3の観点に係る切り替え障害の指示情報の通知装置は、
RRC再確立要求情報を受信する受信部と、
前記RRC再確立要求情報にRLF情報が含まれることを確定する第1確定部と、
前記RLF情報によりユーザ端末がRRC再確立を発起する前にRLFが発生するセルの情報を確定する第２確定部と、
前記RLF情報を前記RLFが発生するセルの所属の基地局に送信送信部と、 
前記ユーザ端末が前記RLFが発生するセルに切り替えられた状況が切り替え早すぎるまたは切り替えが誤りの切り替えセルを選択すると確定する第３確定部と、
切り替えが早すぎるまたは切り替えが切り替えセルを選択する指示情報を切り替え発起の基地局に通知する通知部と、を備え、
そのうち、前記受信部、前記第1確定部、前記第２確定部及び前記送信部は第1基地局に属し、前記第３確定部と前記通知部は第2基地局に属す。
【００１８】
好ましくは、第2基地局に属す検索部は、前記ユーザ端末の本回の切り替え原因を検索し、前記通知部が前記検索部より検索された前記ユーザ端末の本回の切り替え原因を切り替え発起の基地局に通知する。
【００１９】
本発明の第4の観点に係る切り替え障害の指示情報の通知装置は、
切り替えが早すぎるまたは切り替えが誤りの切り替えセルを選択する指示情報の通知条件を設定する設定部と、
RRC再確立要求情報を受信する受信部と、
前記RRC再確立要求情報にRLF情報が含まれることを確定する第1確定部と、
前記RLF情報によりユーザ端末がRRC再確立を発起する前にRLFが発生するセルの情報を確定する第２確定部と、
前記RLF情報を前記RLFが発生するセルの所属の基地局に送信する送信部と、
前記ユーザ端末が前記RLFが発生するセルに切り替えられた状況が、切り替えが早すぎるまたは切り替えが誤りの切り替えセルを選択することを確定する第３確定部と、
前記第３確定部より確定された切り替え早すぎるまたは切り替え選択による切り替えセルが誤りの指示情報通知条件を満足するか、満足の場合、通知部にトグルする判断部と、
通知条件を満足する、切り替えが早すぎるまたは切り替えが誤りの切り替えセルを選択する指示情報を切り替え発起の基地局に通知する通知部と、を備え、
そのうち、前記設定部、前記受信部、前記第1確定部、前記第２確定部、前記送信部は第1基地局に属し、前記第３確定部、前記判断部及び前記通知部は第2基地局に属す。
【００２０】
好ましくは、前記切り替えが早すぎるまたは切り替えが誤りの切り替えセルを選択する指示情報の通知条件とは、無線の質発起の切り替えのみを通知し、前記判断部が切り替え原因に無線の質の切り替え原因が含まれると判断する場合、前記通知部にトグルして無線の質のための切り替え原因による、切り替えが早すぎるまたは切り替えが誤りの切り替えセルを選択する指示情報を切り替え発起の基地局に通知する。
【発明の効果】
【００２１】
本発明には、セルの切り替え過程において、ユーザ端末のセルは切り替えが早すぎるまたは切り替えが誤りの切り替えセルを選択す状況が現れる場合、ユーザ端末に切り替えが早すぎるまたは切り替えが誤りの切り替えセルを選択す現象を発生させないように、セルの切り替えが早すぎるまたは切り替えが誤りの切り替えセルを選択す指示情報及び障害原因を直ちに切り替え発起の基地局に通知し、切り替え発起の基地局より切り替え・パラメータを新たに配置する。本発明は、切り替え・パラメータの動態的な配置により、セルの切り替えの成功率を向上、切り替え過程のネットワーク資源を節約、大幅に通信システムのサービス質を向上させる。
【図面の簡単な説明】
【００２２】
【図１】セルの切り替えが早すぎる状況を示す図である。
【図２】セルの切り替えが誤りの切り替えセルを選択する状況を示す図である。
【図３】本発明に係るUEにおけるCell aからCell bまでの切り替え早すぎの時における切り替え原因の通知方法のフローチャートである。
【図４】本発明に係るUEにおけるCell cからCell bまでの切り替え選択による切り替えセルが誤る時の切り替え原因の通知方法のフローチャートである。
【図５】本発明に係る切り替え障害の指示情報の通知装置の組成構造を示す図である。
【図６】本発明に係る切り替え障害の指示情報の通知装置の他の組成構造を示す図である。
【発明を実施するための形態】
【００２３】
本発明の基本的な考えとしては、セルの切り替え過程において、ユーザ端末のセルは切り替えが早すぎるまたは切り替えが誤りの切り替えセルを選択す状況が現れる場合、ユーザ端末に切り替え早すぎるまたは切り替え選択による切り替えセルが誤る現象を発生させないように、セルの切り替えが早すぎるまたは切り替えが誤りの切り替えセルを選択す指示情報と障害原因を直ちに切り替え発起の基地局に通知し、切り替え発起の基地局より切り替えパラメータを新たに配置する。本発明は、切り替え・パラメータの動態的な配置により、セルの切り替えの成功率を向上、切り替え過程におけるネットワーク資源を節約、通信システムのサービス質を大幅に向上させる。
【００２４】
本発明の目的、技術な手法及び効果をより明瞭にするために、以下に実施例を挙げて図面を参照しながら本発明を更に詳しく説明する。
【００２５】
実施例１
本実施例は図1に示す応用される状況に関する。
【００２６】
図3は本発明に係るUEにおけるCell aからCell bまでの切り替え早すぎの時における切り替え原因の通知方法のフローチャートである。図3に示すように、本実施例に係るUEにおけるCell aからCell bまでの切り替え早すぎの時における切り替え原因の通知方法は、以下のようなステップを含む。
【００２７】
ステップ301において、UEはeNB Aの下のセルCell aからeNB Bの下のセルCell bに切り替えられ、eNB Aが eNB Bに送信した切り替え要求情報に当該回の切り替え発起の原因に含まれる。
【００２８】
セルCell aに位置するUEは、隣接のセル（セルCell b）への切り替え要求、または、eNB Aよりターゲット基地局（eNB B）に発起するUEのセルCell bへ の切り替え要求を確定する。切り替えの原因としては、UEがセルCell aに隣接のセル（セルCell b）の無線信号の強さを測量して、セルCell bの無線信号の強さが切り替え要求に達すると、eNB BにセルCell bに切り替えられる切り替え要求を発起するためかもしれない。または、eNB AはセルCell aのアクセスしたユーザが多すぎるため、セルCell aの負荷を分担する必要があると確定する。
【００２９】
ステップ302において、UEは、Cell bに切り替えられた後で間もなく無線リンク障害（RLF）が発生して、セル選択過程によりセルCell aにRRC再確立をすることを選択し、即ち切り替えられる前のセルに戻ってRRCを再確立し、eNB AにRRC再確立要求情報を送信する。
【００３０】
ステップ303において、eNB Aは、UEのRRC再確立要求情報を受信し、その中のRLFが発生するセル情報によりRLF情報をeNB Bに送信する。
【００３１】
RLF情報には、RLFが発生するセルCell bの物理ＩＤ（PCI）またはCGI情報、RRC再確立を試みるセルCell aのPCIまたは発展型グローバルセル標識（ECGI、 Evolved Cell Global Identifier）情報及びUEのRLFが発生するセルCell bでのC-RNTI情報を含まれることができる。具体的に、RLF情報はX2/S1インターフェイスでeNB Bに送信され、即ちeNB AとeNB Bとの間の論理インタフェースX2で直接に伝送され、または、eNB Aは、まずRLF情報をネットワーク側に送信して、ネットワーク側によってeNB Bに送信する。
【００３２】
ステップ304において、eNB BはeNB AのRLF情報を受信すると、UEは本基地局のCell bにRLFが発生したこと、及び現在のUEがeNB AのCell aにRRC再確立を試みたことを知れる。
【００３３】
eNB BはローカルでUEの前回の切り替えの切り替え原因を検索し、eNB Bに保管する当該UEの前回の切り替え情報により、当該UEがセルCell aからセルCell bに切り替えられたばかり、Cell aからセルCell bまでの切り替えの完了の持続時間が設定された閾値より小さい場合、当該UEが発生したCell aからCell bまでの切り替えが早すぎると判定する。ここで、閾値は経験値により設定され、例えば1秒、0.5秒等に設定される。ここで、当該閾値は関連の協議にはOAM（Operation Administration and Maintenance）より設定される。
【００３４】
ステップ305において、eNB BはeNB Aに１回のCell aからCell bまでの切り替え早すぎの切り替えが発生したことを通知し、切り替え早すぎの指示情報及びその前のCell aからCell bまでの切り替え原因を一括にeNB Aに通知する。具体的には、X2/S1インターフェイスで早すぎる指示情報と切り替え原因を伝送する。
【００３５】
ここで、切り替え原因としては、UEがCell bの無線信号の質がより良くて切り替えの条件に達したことを検出され、またはeNB Cアクセスユーザが多くて負荷が大きくて切り替
えを発起するためかもしれない。要するに、検索されたCell cからCell bまでの真実な切り替え原因をeNB Cに通知する。
【００３６】
なお、システムが切り替え原因の濾過条件などの切り替え早すぎの指示情報通知条件を設定した場合、eNB Bは具体的な切り替え原因により切り替え早すぎの指示情報をeNB Cに通知するか否かを決定する。具体的に、例えば、システムは単に無線信号の質のための切り替え原因による切り替え早すぎの指示情報のみをeNB Cに通知することを設定する場合
、切り替え原因に無線信号の質からの切り替え原因が含まれない時に切り替え早すぎの指示情報をeNB Cに通知せず、切り替え原因も通知しない。切り替え原因に無線信号の質の
ための切り替え原因が含まれる時（他の切り替え原因も含む可能）、切り替え早すぎの指示情報をeNB Cに通知する。ここで、切り替え原因を通知しなく、eNB Cが切り替え早すぎの指示情報を受信すると、その中の無線信号の質のための切り替え原因を含んで本回の切り替えを引き起こすことを確定することができ、切り替え原因の濾過を図る。この状況は各々の切り替え原因の測定に応用されることができる。切り替え早すぎの指示情報の通知条件は、具体的な応用状況により設定されるが、上記の無線信号の質のための切り替え原因を通知することに限定されない。
【００３７】
ステップ306において、eNB Aは対応するセルの切り替え状況の判定により、切り替え・パラメータを最適化し、切り替えの性能を向上させる。
【００３８】
実施例２
本実施例は図2に示す応用状況に関する。
【００３９】
図4は本発明に係るUEのCell cからCell bまでの切り替え選択による切り替えセルが誤る時の切り替え原因の通知方法のフローチャートである。図4に示すように、本実施例に係るUEのCell cからCell bまでの切り替えが誤りの切り替えセルを選択す時の切り替え原因の通知方法は、以下のようなステップを含む。 
【００４０】
ステップ401において、UEはeNB Cの下のCell cからeNB Bの下のセルCell bに切り替えられ、eNB CがeNB Bに送信した切り替え要求情報に当該回の切り替え発起の原因が含まれる。切り替えの原因は、ステップ301での関連の記載を参照する。
【００４１】
ステップ402において、UEは、Cell bに切り替えられた後で間もなく無線リンク障害が発生し、セル選択過程によりセルCell 
aにRRC再確立をすることを選択し、eNB AにRRC再確立要求情報を送信する。
【００４２】
ステップ403において、eNB Aは、UEのRRC再確立要求情報を受信して、その中のRLFが発生するセル情報によりRLF情報をeNB Bに送信する。
【００４３】
RLF情報には、RLFが発生するセルCell bのPCIまたはCGI情報、RRC再確立を試みるセルCell aのPCIまたは発展型ECGI、情報及びUEがRLFが発生するセルCell bのC-RNTI情報とを含むことができる。具体的にX2/S1インターフェイスでRLF情報を伝送することができる。
【００４４】
ステップ404において、eNB BはeNB AのRLF情報を受信すると、UEが本基地局のCell bにRLFが発生したこと、及び現在のeNB AのCell 
aにRRC再確立を試みたことを知れる。
【００４５】
eNB BはローカルでUEの前回の切り替えの切り替え原因を検索し、eNB Bに保管する当該UEの前回の切り替え情報により、当該UEがeNB CのセルCell cからセルCell bに切り替えられたばかり、UEのCell cからセルCell bまでの切り替えの持続時間が設定された閾値より小さい場合、当該UEが発生したCell cからCell bまでの切り替えが誤りの切り替えセルを選択すると判定する。ここで、閾値は経験値により設定され、例えば1秒、0.5秒等に設定される。ここで、当該閾値はOAMより設定された。
【００４６】
ステップ405において、eNB BはeNB Cに１回Cell cからCell bまでの切り替えが誤りの切り替えセルを選択したことが発生したことを通知し、前のCell cからCell bまでの切り替え原因を一括にeNB Cに通知する。具体的に、X2/S1インターフェイスで切り替えが誤りのセルを選択する指示及び切り替え原因を伝送する。
【００４７】
ここで、切り替え原因としては、UEがcell bの無線信号の質がより良くて切り替え条件に達したことを検出され、またはeNB Aアクセスユーザが多くて負荷が大きくて切り替えを発起するためかもしれない。要するに、検索されたCell aからCell bまでの真実な切り替え原因をeNB Aに通知する。
【００４８】
なお、システムが切り替え原因の濾過条件などの切り替えが誤りの切り替えセルを選択する指示情報の通知条件を設定した場合、eNB Bは具体的な切り替え原因により切り替えが誤りの切り替えセルを選択する指示情報をeNB Aに通知するか否かを決定する。具体的に、例えば、システムは無線信号の質のための切り替え原因による切り替えが誤りの切り替えセルを選択する指示情報のみをeNB Aに通知することを設定する場合、切り替え原因に無線信号の質ための切り替え原因が含まれない時に切り替えが誤りの切り替えセルを選択する指示情報をeNB Aに通知せず、切り替え原因も通知しない。切り替え原因に無線信号の質のための切り替え原因が含まれる時（他の切り替え原因も含む可能）、切り替え選択による切り替えセルが誤る指示情報をeNB Aに通知する。ここで、切り替え原因を通知しなく、eNB Aが、切り替えが誤りの切り替えセルを選択する指示情報を受信すると、その中の無線信号の質のための切り替え原因を含んで本回の切り替えを引き起すことを確定でき、切り替え原因の濾過を図る。この状況は各々の切り替え原因の測定に応用されることができる。切り替えが誤りの切り替えセルを選択する指示情報の通知条件は具体的な応用状況により設定されるが、上記の無線信号の質のための切り替え原因のみを通知することに限定されない。
【００４９】
ステップ406において、eNB Cは対応するセルの切り替え状況の判定により、切り替え・パラメータを最適化し、切り替えの性能を向上させる。
【００５０】
図5は本発明に係る切り替え障害の指示情報の通知装置の組成構造を示す図である。図5に示すように、本発明に係る切り替え障害の指示情報の通知装置は、受信部50、第1確定部51、第２確定部52、送信部53、第３確定部54及び通知部55を備え、そのうち、受信部50はRRC再確立要求情報を受信し、第1確定部51は前記RRC再確立要求情報にRLF情報が含まれることを確定し、第２確定部52は前記RLF情報によりユーザ端末のRRC再確立の前RLFが発生するセルの情報を確定し、送信部53は前記RLF情報を前記RLFが発生するセルの所属の基地局に送信し、第３確定部54は前記ユーザ端末が前記RLFが発生するセルに切り替えられる状況が、切り替えが早すぎるまたは切り替えが誤りの切り替えセルを選択することを確定し、通知部55は切り替えが早すぎるまたは切り替えが誤りの切り替えセルを選択する指示情報を切り替え発起の基地局に通知する。
【００５１】
そのうち、上記の受信部50、第1確定部51、第２確定部52、送信部53は第1基地局に属し、上記の第３確定部54、通知部55は第2基地局に属す。
【００５２】
図5に示すように、本発明に係る切り替え障害の指示情報の通知装置は、前記ユーザ端末の本回の切り替え原因を検索する検索部56と、検索部56が検索した前記ユーザ端末の本回の切り替え原因を切り替え発起の基地局に通知する通知部55とを更に備える。そのうち、検索部56は第2基地局に属す。
【００５３】
当業者は、図5に示す切り替え障害の指示情報の通知装置が前記の切り替え障害の指示情報の通知方法を実現するように設定され、図における各処理部の実現功能が前記実施例１、２における関連の記載を参照しながら理解すると理解するべきである。図5に示す装置における各部の功能はプロセッサ上に実行するプログラムにより実現され、具体的な論理回路により実現されてもよい。
【００５４】
図6は本発明に係る切り替え障害の指示情報の通知装置の他の組成構造を示す図である。図6に示すように、本発明に係る切り替え障害の指示情報の通知装置は、設定部60、受信部61、第1確定部62、第２確定部63、送信部64、第３確定部65、判断部66及び通知部67を備え、そのうち、設定部60は切り替えが早すぎるまたは切り替えが誤りの切り替えセルを選択する指示情報の通知条件を設定し、受信部61はRRC再確立要求情報を受信し、第1確定部62は前記RRC再確立要求情報にRLF情報が含まれることを確定し、第２確定部63は前記RLF情報によりユーザ端末のRRC再確立の前のRLFが発生するセルの情報を確定し、送信部64は前記RLF情報を前記RLFが発生したセルの所属の基地局に送信し、第３確定部65は前記ユーザ端末が前記RLFが発生するセルに切り替えられる状況は切り替えが早すぎるまたは切り替えが誤りの切り替えセルを選択することを確定し、判断部66は前記第３確定部が確定した切り替えが早すぎるまたは切り替えが誤りの切り替えセルを選択することが指示情報の通知条件を満足するか否かを判断し、満足の場合通知部67にトグルし、通知部67は満足された通知条件の切り替えが早すぎるまたは切り替えが誤りの切り替えセルを選択する指示情報を切り替え発起の基地局に通知する。
【００５５】
上記の設定部60、受信部61、第1確定部62、第２確定部63及び送信部64は第1基地局に属し、上記の第３確定部65、判断部66及び通知部67は第2基地局に属す。
【００５６】
前記切り替えが早すぎるまたは切り替えが誤りの切り替えセルを選択する指示情報の通知条件は、無線の質による切り替えのみを含む。判断部66は切り替え原因に無線の質による切り替え原因が含まれたか否化を判断し、含まれる場合通知部67にトグルし、通知部67は無線の質による切り替え原因の切り替えが早すぎるまたは切り替えが誤りの切り替えセルを選択する指示情報を切り替え発起の基地局に通知する。
【００５７】
上述したものは、本発明のより良い実施例だけであるが、本発明の特許請求の範囲を限定するためではない。
【図１】
0005254468.tif 000002
【図２】
0005254468.tif 000003
【図３】
0005254468.tif 000004
【図４】
0005254468.tif 000005
【図５】
0005254468.tif 000006
【図６】
0005254468.tif 000007